(57)【特許請求の範囲】
【請求項１】
袋本体部と持ち手部とを有する収納用袋であって、
該袋本体部は、外郭を規定する４辺のうち３辺が密閉されて開口部を有する封筒状とされており、
該４辺のうち１辺の長さ方向での該袋本体部両端部の近傍の該密閉部分を切り抜き可能に構成されている細長い形状の切り抜き部が設けられ、
該持ち手部は、該袋本体部の少なくとも一方の面に近接して配置された帯状シートとされ、かつ該持ち手部の両端部が、切り抜かれていない状態の該切り抜き部に取り付けられ、
該切り抜き部を切り抜くことにより、該取り付け部分が該１辺の長さ方向での該袋本体部中央に近づく方向に移動して、該持ち手部が該収納用袋の持ち手として機能することができるように構成されている、
収納用袋。
【請求項２】
前記袋本体部の両側に前記持ち手部が設けられ、
前記切り抜き部の両側に前記持ち手部が取り付けられ、
前記切り抜き部を切り抜くことにより、前記取り付け部分が、前記１辺の長さ方向での前記袋本体部中央に近づきつつ前記１辺に近づく方向に移動して、一対の前記持ち手部が組み合わさって前記収納用袋の１つの持ち手として機能することができるように構成されている、
請求項１に記載の収納用袋。
【請求項３】
前記袋本体部の両側に前記持ち手部が設けられ、
一方の持ち手部の両端部と他方の持ち手部の両端部とがそれぞれ、前記切り抜き部に形成された貫通孔を通じて結合している、
請求項１または２に記載の収納用袋。
【請求項４】
収納用袋の製造方法であって、
外郭を規定する４辺のうち３辺が密閉されて開口部を有する封筒状とされている袋本体部を準備する工程と、
該４辺のうち１辺の長さ方向での該袋本体部両端部の近傍の該密閉部分を切り抜き可能に細長い形状の切り抜き部を形成する工程と、
帯状シートとされた持ち手部を形成する工程であって、該帯状シートを該袋本体部の少なくとも一方の面に近接して配置し、かつ該帯状シートの両端部を、切り抜かれていない状態の該切り抜き部に取り付けることにより持ち手部を形成する工程とを有する、
収納用袋の製造方法。
【発明の詳細な説明】
【技術分野】
【０００１】
本発明は、収納用袋に関する。
【背景技術】
【０００２】
持ち手部が開口部から上方に突出して形成されているプラスチックシート袋が知られている。（特許文献１）。しかし、袋の容量が充分ではなく、重いものを収納した上記プラスチックシート袋を持つと持ち手が手に食い込んで痛いという問題がある。さらに、収納用袋の生産効率の向上が望まれている。
【先行技術文献】
【特許文献】
【０００３】
【特許文献１】特開平０７−２５１８４８号公報
【発明の概要】
【発明が解決しようとする課題】
【０００４】
本発明は上記従来の課題を解決するためになされたものであり、その目的とするところは、持ち手として機能する持ち手部を有し、高容量であり、重いものを収納しても持ち手が手に食い込まず、かつ高い生産効率を実現できる収納用袋を提供することにある。
【課題を解決するための手段】
【０００５】
本発明の収納用袋は、
袋本体部と持ち手部とを有する収納用袋であって、
該袋本体部は、外郭を規定する４辺のうち３辺が密閉されて開口部を有する封筒状とされており、
該４辺のうち１辺の長さ方向での該袋本体部両端部の近傍の該密閉部分を切り抜き可能に構成されている細長い形状の切り抜き部が設けられ、
該持ち手部は、該袋本体部の少なくとも一方の面に近接して配置された帯状シートとされ、かつ該持ち手部の両端部が該切り抜き部に取り付けられ、
該切り抜き部を切り抜くことにより、該取り付け部分が該１辺の長さ方向での該袋本体部中央に近づく方向に移動して、該持ち手部が該収納用袋の持ち手として機能することができるように構成されている。
１つの実施形態においては、上記収納用袋は、
上記袋本体部の両側に上記持ち手部が設けられ、
上記切り抜き部の両側に上記持ち手部が取り付けられ、
上記切り抜き部を切り抜くことにより、上記取り付け部分が、上記１辺の長さ方向での上記袋本体部中央に近づきつつ上記１辺に近づく方向に移動して、一対の上記持ち手部が組み合わさって上記収納用袋の１つの持ち手として機能することができるように構成されている。
１つの実施形態においては、上記収納用袋において、
上記袋本体部の両側に上記持ち手部が設けられ、
一方の持ち手部の両端部と他方の持ち手部の両端部とがそれぞれ、上記切り抜き部に形成された貫通孔を通じて結合している。
本発明の別の局面によれば、収納用袋の製造方法が提供される。
この収納用袋の製造方法は、
外郭を規定する４辺のうち３辺が密閉されて開口部を有する封筒状とされている袋本体部を準備する工程と、
該４辺のうち１辺の長さ方向での該袋本体部両端部の近傍の該密閉部分を切り抜き可能に細長い形状の切り抜き部を形成する工程と、
帯状シートとされた持ち手部を形成する工程であって、該帯状シートを該袋本体部の少なくとも一方の面に近接して配置し、かつ該帯状シートの両端部を該切り抜き部に取り付けることにより持ち手部を形成する工程とを有する。
【発明の効果】
【０００６】
本発明によれば、持ち手として機能する持ち手部を有し、高容量であり、重いものを収納しても持ち手が手に食い込まず、かつ高い生産効率を実現できる収納用袋を実現できる。
【図面の簡単な説明】
【０００７】
【図１】本発明の１つの実施形態による収納用袋の概略斜視図である。
【図２】本発明の１つの実施形態に用いられる収納用袋の１つの状態を説明する概略平面図である。
【図３】本発明の１つの実施形態に用いられる収納用袋の別の状態を説明する概略平面図である。
【図４】本発明の１つの実施形態による収納用袋の製造方法の概略を説明するための概略図である。
【発明を実施するための形態】
【０００８】
以下、図面を参照して本発明の実施形態について説明するが、本発明はこれらの実施形態には限定されない。
【０００９】
Ａ．収納用袋
図１は、本発明の１つの実施形態による収納用袋の概略斜視図である。収納用袋１００は、１つの袋本体部１０と少なくとも１つの持ち手部とを有する。図示例では、収納用袋１００は、持ち手部２０ｆおよび２０ｒを有する。
【００１０】
袋本体部１０の外郭を規定する４辺１１ａ〜１１ｄのうち３辺１１ｂ、１１ｃ、および１１ｄから所定幅内において、袋本体部１０が例えばヒートシールにより密閉されている。その結果、袋本体部１０は辺１１ａの中央部に開口部１２を有する封筒状とされている。袋本体部１０の容量は目的に応じて設定可能であり、小型であってもよく高容量であってもよい。本発明の効果は高容量である場合に顕著なものとなる。
【００１１】
図示例では、密閉部分の辺１１ｂからの幅は辺１１ｂの中央部では略一定であり、上記幅は辺１１ｂの両端部に向かって逆テーパー状に増加している。同様に、密閉部分の辺１１ｄからの幅は辺１１ｄの中央部では略一定であり、上記幅は辺１１ｄの両端部に向かって逆テーパー状に増加している。図示例では、辺１１ｃは底部であり、辺１１ｃからの密閉部分の幅が辺１１ｃの両端部に向かって弧状に増加していることにより、収納（特に液体の収納）に好適な構造となっている。さらに、袋本体部１０の隅部に平面視略三角形状の密閉部分が形成されるので、収納用袋１００の強度が向上し、切り抜き部の形成が容易になる。辺１１ａ〜１１ｄのうち任意の一辺からの密閉部分の幅が上記任意の一辺の両端部に向かって増加していることにより、上記任意の一辺の両端部近傍の密閉部分に後述する切り抜き部を設けることが容易になる。
【００１２】
辺１１ｃから所定幅内の領域は、収納用袋１００自身が自立することができるように構成されていてもよい。上記構成を有することで、収納用袋の陳列性、卓上性、およびディスプレイ効果が向上する。
【００１３】
持ち手部は、袋本体部の少なくとも一方の面に近接して配置されている。図示例では、持ち手部２０ｆおよび２０ｒの２つが配置されている。持ち手部２０ｆは袋本体部１０の一方の面に近接して配置された帯状シートとされ、持ち手部２０ｒは袋本体部１０の他方の面に近接して配置された帯状シートとされている。持ち手部が袋本体部の面に近接して配置されることにより、袋本体部を作製する密封装置を用いて持ち手部を袋本体部に取り付けることができる。その結果、持ち手部を有する収納用袋をインラインで生産することができるので、高い生産効率を実現できる。
【００１４】
持ち手部は、４辺１１ａ〜１１ｄのうち任意の１辺の近傍に設けられ得る。図示例では、持ち手部２０ｆおよび２０ｒは、辺１１ａの近傍に設けられている。持ち手部は、上記任意の１辺に対して略平行となるように設けられ得る。持ち手部２０ｆおよび２０ｒは辺１１ａに対して略平行となるように設けられている。図示例では、持ち手部２０ｆおよび２０ｒ（持ち手部の外縁を含む）は、開口部を有する辺１１ａから所定距離内側に位置するように設けられている。持ち手部が辺１１ａから所定距離内側に位置するように設けられていることにより、開口部１２にスパウト等を取り付けやすくなる。
【００１５】
袋本体部１０には細長い形状の切り抜き部１３ａおよび１３ｂが設けられている。切り抜き部１３ａおよび１３ｂは、辺１１ａの長さ方向での袋本体部１０両端部の近傍（すなわち、辺１１ｂの近傍および辺１１ｄの近傍）の密閉部分を切り抜き可能に構成されている。図示例では、切り抜き部１３ａおよび１３ｂの外郭はそれぞれ、切り取り線１３３ａおよび１３３ｂによって規定されている。
【００１６】
切り抜き部１３ａおよび１３ｂは、代表的には、辺１１ａの長さ方向の袋本体部１０中央部に近づく方向に延びている。切り抜き部１３ａにおいて、袋本体部１０中央部から遠い側の端部を端部１３１ａとし、他方の端部を端部１３２ａとする。図示例では、切り抜き部１３ａは、端部１３１ａから端部１３２ａに向かって、袋本体部１０中央部に近づきつつ辺１１ａに近づく斜め方向に延びている。同様に、切り抜き部１３ｂの両端部において、袋本体部１０中央部から遠い側の端部を端部１３１ｂとし、他方の端部を端部１３２ｂとする。図示例では、切り抜き部１３ｂは、端部１３１ｂから端部１３２ｂに向かって、袋本体部１０中央部に近づきつつ辺１１ａに近づく斜め方向に延びている。
【００１７】
持ち手部２０ｆの両端部はそれぞれ、切り抜き部１３ａおよび１３ｂの一方の側に取り付けられている。持ち手部２０ｒの両端部はそれぞれ、切り抜き部１３ａおよび１３ｂの他方の側に取り付けられている。持ち手部２０ｆおよび２０ｒの端部と切り抜き部１３ａとの結合部分を取り付け部分２１ａとし、持ち手部２０ｆおよび２０ｒの端部と切り抜き部１３ｂとの結合部分を取り付け部分２１ｂとする。取り付け部分２１ａおよび２１ｂの位置はそれぞれ、代表的には、切り抜き部の端部１３１ａおよび１３１ｂの近傍である。上記構成を有することにより、切り抜き部１３ａおよび１３ｂを切り抜いて、取り付け部分２１ａおよび２１ｂを袋本体部１０中央部に近づく方向に移動させることができる。その結果、持ち手部２０ｆおよび２０ｒがたわむので、持ち手部が収納用袋の持ち手として機能しやすくなる。なお、本発明の収納用袋は人間が持ってもよく、任意の適切な掛止手段（例えば、スタンド、およびラック）に掛止してもよい。したがって、持ち手は掛止手段に掛止することを含む。
【００１８】
持ち手部の切り抜き部への取り付けの態様としては、任意の適切な態様を採用し得る。上記態様としては、例えば、下記に説明する図示例の態様、および持ち手部の端部が切り抜き部に結合している態様が挙げられる。図示例では、切り抜き部１３ａおよび１３ｂにそれぞれ、貫通孔１４ａおよび１４ｂが形成されている。貫通孔１４ａは切り抜き部１３ａの端部１３１ａの近傍に形成され、貫通孔１４ｂは切り抜き部１３ｂの端部１３１ｂの近傍に形成されている。持ち手部２０ｆの一方の端部と持ち手部２０ｒの一方の端部とが貫通孔１４ａを通じて直接結合しており、持ち手部２０ｆの他方の端部と持ち手部２０ｒの他方の端部とが貫通孔１４ｂを通じて直接結合している。持ち手部２０ｆおよび２０ｒのそれぞれの端部が貫通孔を通じて結合していることにより、切り抜いた切り抜き部を回転させて方向を変えることができる。その結果、切り抜かれた切り抜き部が持ち手の方向に突出して持ち手の邪魔になるのを防止できる。持ち手部の端部が切り抜き部に結合している場合には、上記結合部分を取り付け部分とする。なお、結合の態様としては、任意の適切な態様を採用し得る。上記態様としては、例えば、ヒートシールによる結合、および接着剤を介した結合が挙げられる。持ち手部が、袋本体部の少なくとも一方の面に近接して配置された帯状シートとされ、かつ持ち手部の両端部が切り抜き部に取り付けられていることにより、持ち手部の幅を広くすることができる。その結果、重いものを収納しても手に食い込まない収納用袋を実現できる。
【００１９】
収納用袋１００を構成する材料としては、任意の適切な材料を採用し得る。上記材料としては、例えばプラスチックが挙げられる。収納用袋１００の袋本体部１０ならびに持ち手部２０ｆおよび２０ｒの構成の一例として、以下の構成が挙げられる。
ＰＥＴ＃１６／ＤＬ／ＮＹ＃２５／ＤＬ／ＬＬＤＰＥ＃１５０
すなわち、袋本体部１０ならびに持ち手部２０ｆおよび２０ｒは積層フィルムによって構成される。さらに、上記積層フィルムは、厚さ１６μｍのポリエチレンテレフタレートフィルム（商品名「ＦＥ２００１」、フタムラ化学株式会社製）と、厚さ２５μｍのナイロンフィルム（商品名「Ｎ１２００」、東洋紡株式会社製）とを、ドライラミネート（商品名「Ａ−６０３／Ｃ−８３」、大日精化工業株式会社製）により積層したフィルムを作製し、上記フィルムに、さらに、厚さ１５０μｍのリニアローデンシティポリエチレンフィルム（商品名「ＬＬ−ＸＭＴＮ」、フタムラ化学株式会社製）を、ドライラミネート（商品名「Ａ−６０３／Ｃ−８３」、大日精化工業株式会社製）により積層することによって得られる。
【００２０】
Ｂ．収納用袋の使用方法
以下、収納用袋の使用方法を説明する。図２は、本発明の１つの実施形態による収納用袋１０１の１つの状態を説明する概略平面図である。本実施形態においては、図２に示すように、収納用袋１０１の開口部１２にはスパウト３０が取り付けられている。その他の点では、収納用袋１０１は収納用袋１００と同一の構成を有する。収納用袋１０１内には、被収納物４０が収納されている。この状態では、切り抜き部１３ａおよび１３ｂは切り抜かれていない。
【００２１】
次に、図３に示すように、切り抜き部１３ａおよび１３ｂをそれぞれ、切り取り線１３３ａおよび１３３ｂに沿って切り抜き、取り付け部分２１ａおよび２１ｂを袋本体部１０中央部に近づきつつ辺１１ａに近づく斜め方向に移動させる。取り付け部分が袋本体部１０中央部に近づく方向に移動することにより、袋本体部の面に近接して配置されていた持ち手部２０ｆおよび２０ｒがたわんだ状態になるので、持ち手部は収納用袋の持ち手として機能することができる。さらに、取り付け部分が袋本体部１０中央に近づきつつ辺１１ａに近づく方向に移動することにより、一対の持ち手部が組み合わさって収納用袋の１つの持ち手として機能することができる。図示例では、辺１１ａを上方かつ辺１１ｃを下方として収納用袋１００を保持することができるように、持ち手部２０ｆおよび２０ｒが構成されている。さらに、本構成によれば、収納用袋を保持する際に、開口部に取り付けられているスパウト等が邪魔にならない。
【００２２】
被収納物４０としては、任意の適切な被収納物を採用し得る。上記被収納物は液体であってもよく、固体であってもよい。上記液体としては、例えば、飲料、医療用品（例えば、薬剤、点滴液、および輸液）、洗剤、および染料が挙げられる。上記固体としては、例えば、食料、日用品、および衣類が挙げられる。上記被収納物として重量物も好適に採用し得る。
【００２３】
Ｃ．収納用袋の製造方法
以下、図面を参照して、本発明の実施形態による収納用袋の製造方法を説明する。図４（ａ）〜（ｅ）は、本発明の実施形態による収納用袋１０１の製造方法の概略を説明するための概略図である。
【００２４】
まず、図４（ａ）に示すように、外郭を規定する４辺１１ａ〜１１ｄのうち３辺１１ｂ〜１１ｄから所定幅内において密閉されて、辺１１ａの中央部に開口部１２を有する封筒状とされている袋本体部１０を準備する。
【００２５】
次に、図４（ｂ）に示すように、袋本体部１０の端部近傍の密閉部分を切り抜き可能に細長い形状の切り抜き部１３ａおよび１３ｂを形成する。図示例では、袋本体部１０の端部近傍の密閉部分に切り取り線１３３ａおよび１３３ｂを形成することにより、それぞれ切り抜き部１３ａおよび１３ｂを形成する。代表的には、切り抜き部１３ａおよび１３ｂが袋本体部１０中央部に近づく方向に延びるように、切り抜き部１３ａおよび１３ｂを形成する。図示例では、切り抜き部１３ａおよび１３ｂが袋本体部１０中央部に近づきつつ辺１１ａに近づく方向に延びるように、切り抜き部１３ａおよび１３ｂを形成する。
【００２６】
必要に応じて、図４（ｃ）に示すように、切り抜き部１３ａおよび１３ｂにそれぞれ、貫通孔１４ａおよび１４ｂを形成する。貫通孔１４ａおよび１４ｂを形成した後に、切り抜き部１３ａおよび１３ｂを形成してもよい。代表的には、貫通孔１４ａが切り抜き部１３ａの端部１３１ａの近傍に位置し、貫通孔１４ｂが切り抜き部１３ｂの端部１３１ｂの近傍に位置するように貫通孔１４ａおよび１４ｂを形成する。
【００２７】
次に、図４（ｄ）に示すように、２つの帯状シートを袋本体部１０の両側の面に近接して配置する。図示例では、一方の帯状シートの端部と他方の帯状シートの端部とを貫通孔１４ａを通じて直接結合させ、一方の帯状シートの他の端部と他方の帯状シートの他の端部とを貫通孔１４ｂを通じて直接結合させる。その結果、帯状シートとされた持ち手部２０ｆおよび持ち手部２０ｒが形成される。
【００２８】
次に、必要に応じて、図４（ｅ）に示すように、スパウト３０を開口部１２に取り付けて、収納用袋１０１を得る。
【産業上の利用可能性】
【００２９】
本発明の収納用袋は、様々な産業分野における製品の収納に好適に用いられ得る。このような収納用袋に収納される製品としては、例えば、飲料、医療用品、洗剤、染料、食料、日用品、および衣類が挙げられる。
【符号の説明】
【００３０】
１０              袋本体部
１２              開口部
１３ａ、１３ｂ    切り抜き部
１４ａ、１４ｂ    貫通孔
２０ｆ、２０ｒ    持ち手部
２１ａ、２１ｂ    取り付け部分
１００、１０１    収納用袋
【図１】
0006278563.tif 000002
【図２】
0006278563.tif 000003
【図３】
0006278563.tif 000004
【図４】
0006278563.tif 000005